(57)【要約】【課題】  十分な防音、防振効果を有するとともに、取扱いや施工が容易な床材を提供する。【解決手段】  床支持材２と床仕上げ材３との間に介挿される床材１０において、板状の本体部１１と、本体部１１の両面に、連続して配置される半球状突起部１２とを備える。そして、半球状突起部１２は、本体部１１の一方の面において半球状突起部１２が配置される位置の反対面の位置に、上記一方の面に配置される半球状突起部１２と同一形状の半球状突起部１２が設けられており、本体部１１と半球状突起部１２とが一体成形されている。【選択図】  図２
2006348702.tif 000002
【特許請求の範囲】
【請求項１】
床支持材と床仕上げ材との間に介挿される床材において、
板状の本体部と、
上記本体部の両面に、連続して配置される半球状突起部とを備え、
上記本体部は、一方の面において上記半球状突起部が配置される位置の反対面の位置に、上記一方の面に配置される半球状突起部と同一形状の上記半球状突起部が設けられており、
上記本体部と上記半球状突起部とが一体成形されていることを特徴とする床材。
【請求項２】
さらに、上記本体部は、上記床仕上げ材と対向する面において、所定間隔に配置され、上記半球状突起部と略同一の高さからなる上記床仕上げ材と接合するための接合部を有することを特徴とする請求項１記載の床材。
【請求項３】
一の上記半球状突起部は、一の面内において４つ又は６つの上記半球状突起部と接するように配置される
ことを特徴とする請求項１又は２記載の床材。
【請求項４】
少なくとも２種類の異なる径からなる第１及び第２の半球状突起部を有し、上記第１及び第２の半球状突起部が組み合わされた段違い突起部が、連続的に繰り返して配置されることを特徴とする請求項１又は２記載の床材。
【発明の詳細な説明】
【技術分野】
【０００１】
本発明は、床材に関し、特に、建築物の床仕上げ材が敷かれる床面に敷設し、防音、防振性を有する床材に関する。
【背景技術】
【０００２】
集合住宅等の建築物における階上からの衝撃振動音は、階下へ伝播し騒音の要因となっていた。この騒音は、階上の部屋での人の歩行等により発生し、階上の部屋の床スラブにその振動が伝達されて階下の部屋で放出されると言われている。
【０００３】
ところで近年は、居住空間の快適性を求める要望が強まっており、上述のような衝撃振動音による騒音伝達を防止又は低減するニーズが高まっている。鉄筋コンクリート建築においては、床スラブ等の厚みを大きくすることにより、防音効果が得られるが、材料費の増加や、有効空間の減少等の問題が生じる。
【０００４】
また、床下の空間にガラスウール、ロックウール等の無機質繊維板を介在させる方法もあるが、防音効果が十分とは言えない。そこで、床仕上げ材に弾力性を有するものを使用する方法、床仕上げ材の上面にカーペットなどを敷設し衝撃を和らげる方法、床仕上げ材の下面に防音シートを介在させる方法等が用いられている（例えば、特許文献１参照。）。
【０００５】
特許文献１は、床支持構造体と床仕上材との間に介挿される床遮音シートであって、床支持構造体の上側に延在するシート状基板と、該基板から膨出し且つ相互に所定間隔を隔てて基板面に分布した複数の流体封入部とを備える床遮音シートについて開示されている。特許文献１の床遮音シートは、流体封入部に空気、不活性ガス等の気体や、液体又はゲル状物質等が封入されている。
【０００６】
ところで、上述のような遮音シートは、施工時に適式に設置されないと、防音、防振効果が十分に得られないものである。しかし、上述のような遮音シートは、その施工時において、不注意、手抜き等によって、流体封入部を損傷させる虞もあり、十分な防音、防振効果が得られないこともある。したがって、施工時または運搬時には、細心の注意を払う必要があり、煩わしいことであった。
【０００７】
【特許文献１】特開２０００−１１０３４０
【発明の開示】
【発明が解決しようとする課題】
【０００８】
そこで、本発明は上述のような問題点に鑑み、十分な防音、防振効果を有するとともに、取扱いや施工が容易な床材を提供することを目的とする。
【課題を解決するための手段】
【０００９】
上述の問題点を解決するために本発明に係る床材は、床支持材と床仕上げ材との間に介挿される床材において、板状の本体部と、上記本体部の両面に、連続して配置される半球状突起部とを備える。そして、上記本体部は、一方の面において上記半球状突起部が配置される位置の反対面の位置に、上記一方の面に配置される半球状突起部と同一形状の上記半球状突起部が設けられており、上記本体部と上記半球状突起部とが一体成形されていることを特徴とする。
【００１０】
また、上記本体部は、上記床仕上げ材と対向する面において、所定間隔に配置され、上記半球状突起部と略同一の高さからなる上記床仕上げ材と接合するための接合部を備えるようにしてもよい。
【００１１】
また、一の上記半球状突起部は、一の面内において４つ又は６つの上記半球状突起部と接するように配置されるようにしてもよい。
【００１２】
さらに、少なくとも２種類の異なる径からなる第１及び第２の半球状突起部を有し、上記第１及び第２の半球状突起部が組み合わされた段違い突起部が、連続的に繰り返して配置されるようにしてもよい。
【発明の効果】
【００１３】
本発明は、床支持材と床仕上げ材との間に介挿されて使用され、本体部の両面に半球状突起部が設けられており、それぞれの半球状突起部の頂部において、床支持材及び床仕上げ材と接する。そのため、床仕上げ材からの音や振動のエネルギは、僅かしか床材に伝達されず、また、その伝達されたエネルギも半球状突起部内で減衰され、最終的に床支持材まで伝達されるエネルギは、ごく僅かなものとなり、防音、防振効果が得られる。また、床材は、本体部と半球状突起部とが一体成形されており、運搬、施工において手抜きや不注意によって破損しにくく、細心の注意を払うことなく取扱いが容易である。また、本体部の一方の面に設けられた半球状突起部が配置された位置の反対面の位置に、上述の一方の面に配置される半球状突起部と同一形状の半球状突起部が設けられ、表裏を注意して施工する必要がなく、施工も容易となる。
【発明を実施するための最良の形態】
【００１４】
以下、本発明に係る床材について図面を参照して詳細に説明する。図１は、本発明の床材１０の使用状態を示す図であり、図２は床材１０の正面図と断面図である。
【００１５】
図１に示すように、床材１０は、床支持構造体２と床仕上げ材３との間に介挿されることにより、防音構造体１を構成してなる。防音構造体１は、床支持構造体２と、床材１０と、床仕上げ材３とが積層されて構成され、床仕上げ材３からの振動を床材１０により床支持構造体２に伝播するのを低減する。この防音構造体１は、木造の住宅、鉄筋コンクリート構造の集合住宅などの中間階の床構造に適用される。
【００１６】
床支持構造体２は、例えばコンクリート床スラブであり、床仕上げ材３等を支持する構造体である。なお、床支持構造体２は、上述に限らず、コンクリート床スラブ上に敷設された大引、根太及び床下地板、又は、鉛直柱又は耐力壁に支持された梁、根太及び床下地板などであってもよい。
【００１７】
床仕上げ材３は、木質系フローリング材等の硬質の床仕上げ材から構成され、室内等の内装仕上げ面を構成する。なお、床仕上げ材３は、上述に限らず、絨毯等の内装材と、該下地面を構成する硬質の内装下地合板、畳などであってもよい。
【００１８】
本発明に係る床材１０は、図１及び図２に示すように、板状の本体部１１と、本体部１１の両面に、連続して配置される半球状突起部１２とから構成されている。また、床材１０の半球状突起部１２は、本体部１１の一方の面において半球状突起部１２が配置される位置に対応する反対面の位置に半球状突起部１２が設けられるように配置されている。床材１０は、床仕上げ材３が敷設される床支持構造体２上全体を隙間なく覆うように、複数枚が連続して配置される。
【００１９】
本体部１１は、主面が略矩形の板形状であり、その材質は、発砲ポリスチレンから構成されている。本体部１１は、運搬のしやすさ、及び施工の容易性を踏まえた所定の大きさからなり、また防音、防振性の観点からその板厚が２０ｍｍ程度に形成されている。
【００２０】
本体部１１は、本体部１１の長手方向に隣接する床材１０、１０同士を連結するように、一方の短辺１１ａに亘って設けられた係合凸部１３と、他方の短辺１１ｂに亘って設けられた係合凹部１４とが設けられている。さらに、本体部１１は、短辺１１ａ、１１ｂと同様に、本体部１１の短手方向に隣接する床材１０、１０同士を連結するように、一方の長辺１１ｃに亘って設けられた係合凸部１５と、他方の長辺１１ｄに亘って設けられた係合凹部１６とが設けられている。一の床材１０の本体部１１の係合凸部１３は、長手方向に隣接する床材１０の本体部１１の係合凹部１４に係合されることにより、床材１０同士が連結される。同様に、一の床材１０の本体部１１の係合凸部１５は、短手方向に隣接する床材１０の本体部１１の係合凹部１６に係合されることにより、床材１０同士が連結される。
【００２１】
なお、本体部１１に設けられた係合凸部１３、１５、及び係合凹部１４、１６は、上述に限らず、隣接して配置される床材１０同士を連結することができるものであればよく、例えば、長辺及び短辺の所定の箇所のみに設けられた係合凸部と係合凹部とからなるものであってもよい。
【００２２】
半球状突起部１２は、本体部１１の主面の両面に形成された半径２５ｍｍ程度の半球形状の突起部であり、本体部１１と同一の材質から形成され、本体部１１と一体成形されている。このような形状を有する半球状突起部１２は、その頂部１２ｂ（図２（Ｂ）参照）において床支持構造体２及び床仕上げ材３と点接触、又は床仕上げ材３からの圧力等によって弾性変形する程度の小さい面接触をしている。そのため、床仕上げ材３から床材１０に伝わる音や振動のエネルギは僅かなものとなる。また、この僅かなエネルギは、床材１０に伝達された際、床仕上げ材３と接する半球状突起部１２内で放射状に伝達されながら減衰してしまう。さらに、この僅かなエネルギが、床材１０内を伝播して床支持構造体２と対向する半球状突起部１２の頂部１２ｂに達し床支持構造体２に伝達された場合であっても、この半球状突起部１２と床支持構造体２とが点接触しているので、伝達されるエネルギはさらに僅かなものとなる。
【００２３】
半球状突起部１２は、図２（Ａ）に示すように、本体部１１上で、その中心点１２ａが四角形Ｘ（図２（Ａ）参照）を形成するように隣接され配置されている。つまり、一の半球状突起部１２は、本体部１１上で、４つの他の半球状突起部と接する、いわゆるマトリクス状に配置されている。また、本体部１１の一方の面に配置される半球状突起部１２は、図２（Ｂ）に示すように、その半球状突起部１２が配置された位置に対応する本体部１１の反対面の位置に、上述の一方の面に配置される半球状突起部１２と同一形状の半球状突起部１２が設けられる。
【００２４】
なお、本体部１１及び半球状突起部１２は、上述に限らず、発砲スチロール、発砲ポリエチレン、発砲ポリウレタン、天然ゴム、合成ゴム等の所定の硬度を有し、防音、防振効果を有する材質からなるものであってもよい。
【００２５】
以上のような構成を有する床材１０は、床支持構造体２と床仕上げ材３との間に介挿されて使用される。また、床材１０は、本体部１１の両面に半球状突起部１２が設けられており、それぞれの半球状突起部１２の頂部１２ｂ（図２（Ｂ）参照）において、床支持構造体２及び床仕上げ材３と接する。そのため、床仕上げ材３からの音や振動のエネルギは、僅かしか床材１０に伝達されず、また、その伝達されたエネルギも半球状突起部１２内で減衰され、最終的に床支持構造体２まで伝達されるエネルギは、ごく僅かなものとなり、防音、防振効果が得られる。また、床材１０は、本体部１１と半球状突起部１２とが一体成形されており、運搬、施工において手抜きや不注意によって破損しにくく、本体部１１の一方の面に設けられた半球状突起部１２が配置された位置に対応する本体部１１の反対面の位置に、上述の一方の面に配置される半球状突起部１２と同一形状の半球状突起部１２が設けられ表裏の区別がないので、細心の注意を払うことなく取扱いが容易であり、施工も容易である。
【００２６】
次に、本発明に係る床材の第２の実施の形態について図３を参照して説明をする。図３に示すように、床材２０は、床材１０と同様に、本体部１１と、半球状突起部１２を備え、さらに、床仕上げ材３と接合するための接合部２１を備える。なお、床材２０について、床材１０と同一の構成については、同一の符号を付し、その説明を省略する。
【００２７】
接合部２１は、本体部１１の床仕上げ材３と対向する側の面に設けられる突起部であり、本体部１１と同一の材質からなる。接合部２１は、所定間隔で複数設けられており、本説明においては図３（Ａ）に示すように、２箇所設けられている。接合部２１は、本体部１１の短手方向に平行な方向に延在する突起部であり、図３（Ｂ）に示すようにその断面が略矩形に形成されてなる。接合部２１は、その高さが半球状突起部１２と同一又はやや大きい高さであり、床仕上げ材３と対向する面２１ａにおいて床仕上げ材３と接合される。接合部２１は、面２１ａに接着剤を塗布することにより、床仕上げ材３と接合される。なお、接合部２１は、短手方向に亘って設けられたものである必要はなく、床仕上げ材３と接合できるものであればいかなる形状であってもよく、また、その接合方法も、接着剤に限らず、ネジ止めするものであってもよい。
【００２８】
また、接合部２１は、上述のように本体部１１と同一の材質からなるものに限らず、床仕上げ材３と強固に接合できるように本体部１１より硬質な材料からなるものであってもよい。
【００２９】
以上のような構成を有する床材２０は、床材１０と同様に、防音、防振効果が得られる。また、床材２０は、床仕上げ材３と接合するための接合部２１を備えており、本体部１１と半球状突起部１２及び接合部２１とが一体成形されており、運搬、施工において手抜きや不注意によって破損しにくく、細心の注意を払うことなく取扱いが容易であり、施工も容易である。
【００３０】
次に、本発明に係る床材の第３の実施の形態について図４を参照して説明をする。図４に示すように、床材３０は、床材１０と同様の構成を備えるが、半球状突起部１２の配列が異なる。床材３０における半球状突起部１２は、図４（Ａ）に示すように、本体部１１上で、その中心点１２ａが三角形Ｙ（図４（Ａ）参照）を形成するように隣接され配置されている。つまり、一の半球状突起部１２は、本体部１１上で、６つの他の半球状突起部と接する、いわゆる中心点を結ぶ直線が亀甲網目状になるように配置されている。また、本体部１１の一方の面に配置される半球状突起部１２は、図４（Ｂ）及び図４（Ｃ）に示すように、その半球状突起部１２が配置された位置に対応する本体部１１の反対面の位置に、上述の一方の面に配置される半球状突起部１２と同一形状の半球状突起部１２が設けられる。
【００３１】
続いて、本発明に係る床材の第４の実施の形態である床材４０について説明をする。図５に示すように、床材４０は、床材１０の半球状突起部１２の代わりに、半球状突起部１２と同様の径を有する第１の半球状突起部４１と、第１の半球状突起部４１より小径な第２の半球状突起部４２とが組み合わされた段違い突起部４３が設けられている。
【００３２】
段違い突起部４３は、本体部１１上で隣り合うように配置された第１の半球状突起部４１と第２の半球状突起部４２との組み合わせからなり、本体部１１上で連続して繰り返して均一に配列されている。このような形状を有する段違い突起部４３は、第１の半球状突起部４１の頂部４１ａ（図５（Ｂ）参照）において床支持構造体２及び床仕上げ材３と点接触、又は床仕上げ材３からの圧力等によって弾性変形する程度の小さい面接触をしている。そのため、床仕上げ材３から床材４０に伝わる音や振動のエネルギは僅かなものとなる。また、この僅かなエネルギは、床材４０に伝達された際、床仕上げ材３と接する第１の半球状突起部４１内で放射上に伝達されながら減衰してしまう。さらに、この僅かなエネルギが、床材４０内を伝播して床支持構造体２と対向する第１の半球状突起部４１の頂部４１ａに達し床支持構造体２に伝達された場合であっても、この第１の半球状突起部４１と床支持構造体２とが点接触しているので、伝達されるエネルギはさらに僅かなものとなる。また、この僅かなエネルギが、床材４０内を伝播して第２の半球状突起部４２に伝達された場合は、第２の半球状突起部４２は、床支持構造体２と接しておらず、第２の半球状突起部４２内でも減衰する。
【００３３】
第１の半球状突起部４１は、床材１０の半球状突起部１２と同様に、本体部１１の主面の両面に形成された半径２５ｍｍ程度の半球形状の突起部であり、本体部１１と同一の材質から形成され、本体部１１と一体成形されている。また、第２の半球状突起部４２は、第１の半球状突起部４１より小径で、本体部１１の主面の両面に形成された半球形状の突起部であり、本体部１１と同一の材質から形成され、本体部１１と一体成形されている。
【００３４】
次に、本発明に係る床材の第５の実施の形態である床材５０について説明をする。図６（Ａ）に示すように、床材５０は、平面視の半球状突起部１２が床材１０と同様に配列されている。床材５０は、図６（Ｂ）に示すように、本体部１１の一方の面に配置される半球状突起部１２が、その半球状突起部１２が配置された位置に対応する本体部１１の反対面の位置ではない位置に、上述の一方の面に配置される半球状突起部１２と同一形状の半球状突起部１２が設けられる。すなわち、床材５０は、本体部１１の一方の面に配置される半球状突起部１２の頂部１２ｂと他方の面に配置される半球状突起部１２の頂部１２ｂの位置がずれている。このような形状を有する床材５０の半球状突起部１２は、床材１０と同様に、その頂部１２ｂ（図２（Ｂ）参照）において床支持構造体２及び床仕上げ材３と点接触、又は床仕上げ材３からの圧力等によって弾性変形する程度の小さい面接触をしている。そのため、床仕上げ材３から床材５０に伝わる音や振動のエネルギは僅かなものとなる。また、この僅かなエネルギは、床材５０に伝達された際、床仕上げ材３と接する半球状突起部１２内で放射状に伝達されながら減衰してしまう。さらに、この僅かなエネルギが、床材５０内を伝播して床支持構造体２と対向する半球状突起部１２の頂部１２ｂに達し床支持構造体２に伝達された場合であっても、この半球状突起部１２と床支持構造体２とが点接触しているので、伝達されるエネルギはさらに僅かなものとなる。また、この僅かなエネルギは、床材５０内を伝播して床支持構造体２と対向する半球状突起部１２の頂部１２ｂに達し床支持構造体２に伝達された場合であっても、床仕上げ材３と対向する半球状突起部１２の頂部１２ｂと、床支持構造体２と対向する半球状突起部１２の頂部１２ｂとが、半球状突起部１２の中心点１２ａと頂点１２ｂとを結ぶ直線上にはないので、直線状に伝達されることがなく、伝達されるエネルギはさらに僅かなものとなる。
【００３５】
以上のように構成された本発明に係る床材１０、２０、３０、４０、５０は、いずれも床支持構造体２と床仕上げ材３との間に介挿されて使用される。また、本発明に係る床材は、本体部１１の両面に半球状突起部１２又は床材４０においては第１の半球状突起部４１が設けられており、それぞれの半球状突起部の頂部において、床支持構造体２及び床仕上げ材３と接する。そのため、床仕上げ材３からの音や振動のエネルギは、僅かしか床材に伝達されず、また、その伝達されたエネルギも半球状突起部内で減衰され、最終的に床支持構造体２まで伝達されるエネルギは、ごく僅かなものとなり、防音、防振効果が得られる。また、床材は、本体部１１と半球状突起部とが一体成形されており、運搬、施工において手抜きや不注意によって破損しにくく、細心の注意を払うことなく取扱いが容易である。また、本体部１１の一方の面に設けられた半球状突起部が配置された位置の反対面の位置に、上述の一方の面に配置される半球状突起部と同一形状の半球状突起部が設けられ、表裏を注意して施工を行う必要がなく、施工も容易である。
【図面の簡単な説明】
【００３６】
【図１】本発明に係る床材の使用状態を示す一部破断斜視図である。
【図２】本発明に係る床材の実施の形態を示す図であり、（Ａ）は平面図であり、（Ｂ）はＡ−Ａ´における断面図である。
【図３】本発明に係る床材の第２の実施の形態を示す図であり、（Ａ）は正面図であり、（Ｂ）はＢ−Ｂ´における断面図である。
【図４】本発明に係る床材の第３の実施の形態を示す図であり、（Ａ）は正面図であり、（Ｂ）はＣ−Ｃ´における断面図であり、（Ｃ）はＤ−Ｄ´における断面図である。
【図５】本発明に係る床材の第４の実施の形態を示す図であり、（Ａ）は正面図であり、（Ｂ）はＥ−Ｅ´における断面図であり、（Ｃ）はＦ−Ｆ´における断面図である。
【図６】本発明に係る床材の実施の形態を示す図であり、（Ａ）は平面図であり、（Ｂ）はＧ−Ｇ´における断面図である。
【符号の説明】
【００３７】
１  防音構造体、２  床支持構造体、３  床仕上げ材、１０、２０、３０、４０  床材、１１  本体部、１２  半球状突起部、１３、１５  係合凸部、１４、１６  係合凹部、２１  接合部、２１  接合部、４１  第１の半球状突起部、４２  第２の半球状突起部、４３  段違い突起部
【図１】
2006348702.tif 000003
【図２】
2006348702.tif 000004
【図３】
2006348702.tif 000005
【図４】
2006348702.tif 000006
【図５】
2006348702.tif 000007
【図６】
2006348702.tif 000008